(57)【要約】【課題】  現場における作業を削減し、工期短縮を図ることができる化粧板付パネルの提供。【解決手段】  柱、間柱等からなる壁枠体６に固定されるパネル本体２と、パネル本体２の表面に貼り付けた化粧板３，３…とが一体に備えられ、パネル本体２の表面部に化粧板４が貼着されず、パネル本体２の表面が露出した固定用部４，４…を設けた。【選択図】  図１
0003115101.tif 000002
【実用新案登録請求の範囲】
【請求項１】
平板状のパネル本体と、該パネル本体の表面に貼り付けた化粧板とが一体に備えられ、前記パネル本体にパネル本体を固定用部材により柱、間柱等からなる壁枠体に固定するための固定用部が設けられたことを特徴としてなる化粧板付パネル。
【請求項２】
前記固定用部は、前記パネル本体の表面部に化粧板が貼り付けられず、パネル本体の表面が露出してなる請求項１に記載の化粧板付パネル。
【請求項３】
一のパネル本体に対し複数の化粧板が並べて貼り付けられ、所定の隣り合う化粧板間に固定用部を設け、その他の隣り合う化粧板間の目地にコーキング材が充填された請求項１又は２に記載の化粧板付パネル。
【請求項４】
パネル本体は、けい酸カルシウムを主成分とし、それにバインダーを添加して板状に成形してなる繊維強化セメント板である請求項１、２又は３に記載の化粧板付パネル。
【請求項５】
パネル本体は、耐火ボードである請求項１〜３又は４に記載の化粧板付パネル。
【請求項６】
前記化粧板付パネルは、両側縁部に前記化粧板が貼着されず、パネル本体の表面が露出し、互いに突き合わされることにより縦向きの嵌合溝を構成する縦向きの嵌合凹部を有し、柱、間柱等の壁枠体の前面部に隣り合う前記化粧板付パネルが互いに突き合わせ配置に設置され、前記目地溝に前記固定用部の表面を覆う被覆板を有する被覆部材が嵌め込まれた請求項１〜４又は５に記載の化粧板付パネルを使用した化粧板付パネルの接合部構造。
【請求項７】
固定用部は、嵌合凹部を兼用する請求項６に記載の化粧板付パネルの接合部構造。
【考案の詳細な説明】
【技術分野】
【０００１】
本考案は、主に家屋等の建物の壁等を形成する化粧板付パネル及び化粧板付パネルの接合部構造に関する。
【背景技術】
【０００２】
従来、家屋等の建物の壁は、壁枠を構成する柱や間柱等の壁枠体にベニヤ合板や木質ボード等のパネル本体を釘やビス等で固定した後、その壁枠体に固定されたパネル本体の表面に接着剤等により壁の外面を形成する化粧板を並べて貼り付け、その各化粧板間の目地にコーキング材を充填して、目地を埋めることにより形成されている。
【考案の開示】
【考案が解決しようとする課題】
【０００３】
しかし、上述の如き従来の技術では、パネル本体の固定、化粧板の貼り付け及び目地のコーキング処理等の各工程を現場にて行わなければならず、工期が長期化するという問題があった。
【０００４】
そこで本考案は、上述の従来技術の問題を鑑み、現場における作業を削減し、工期短縮を図ることができる化粧板付パネルの提供を目的とする。
【課題を解決するための手段】
【０００５】
上述の如き従来の問題を解決し、所期の目的を達成するための請求項１に記載の考案は、平板状のパネル本体と、該パネル本体の表面に貼り付けた化粧板とが一体に備えられ、前記パネル本体にパネル本体を固定用部材により柱、間柱等からなる壁枠体に固定するための固定用部が設けられた化粧板付パネルであることを特徴とする。
【０００６】
請求項２に記載の考案は、請求項１の構成に加え、前記固定用部は、前記パネル本体の表面部に化粧板が貼り付けられず、パネル本体の表面が露出してなることを特徴とする。
【０００７】
請求項３に記載の考案は、請求項１又は２の構成に加え、一のパネル本体に対し複数の化粧板が並べて貼り付けられ、所定の隣り合う化粧板間に固定用部を設け、その他の隣り合う化粧板間の目地にコーキング材が充填されたことを特徴とする。
【０００８】
請求項４に記載の考案は、請求項１、２又は３の構成に加え、パネル本体は、けい酸カルシウムを主成分とし、それにバインダーを添加して板状に成形してなる繊維強化セメント板であることを特徴とする。
【０００９】
請求項５に記載の考案は、１〜３又は４の構成に加え、パネル本体は、耐火ボードであることを特徴とする。
【００１０】
請求項６に記載の考案は、前記化粧板付パネルは、両側縁部に前記化粧板が貼着されず、パネル本体の表面が露出し、互いに突き合わされることにより縦向きの嵌合溝を構成する縦向きの嵌合凹部を有し、柱、間柱等の壁枠体の前面部に隣り合う前記化粧板付パネルが互いに突き合わせ配置に設置され、前記目地溝に前記固定用部の表面を覆う被覆板を有する被覆部材が嵌め込まれた請求項１〜４又は５に記載の化粧板付パネルを使用した化粧板付パネルの接合部構造であることを特徴とする。
【００１１】
請求項７に記載の考案は、請求項６の構成に加え、固定用部は、嵌合凹部を兼用することを特徴とする。
【考案の効果】
【００１２】
本考案に係る化粧板付パネルは、平板状のパネル本体と、該パネル本体の表面に貼り付けた化粧板とが一体に備えられ、前記パネル本体にパネル本体を固定用部材により柱、間柱等からなる壁枠体に固定するための固定用部が設けられたことによって、施工現場における化粧板貼着作業を省略して工期を短縮することができる。
【００１３】
前記固定用部は、前記パネル本体の表面部に化粧板が貼り付けられず、パネル本体の表面が露出してなることにより、好適にパネル本体を壁枠体に固定することができる。
【００１４】
一のパネル本体に対し複数の化粧板が並べて貼り付けられ、所定の隣り合う化粧板間に固定用部を設け、その他の隣り合う化粧板間の目地にコーキング材が充填されたことによって、施工現場におけるコーキング処理を省略することができ、工期を短縮することができる。
【００１５】
パネル本体は、けい酸カルシウムを主成分とし、それにバインダーを添加して板状に成形してなる繊維強化セメント板であることによって、環境性及び施工性に優れ、地震や火災などの災害にも強い。
【００１６】
パネル本体は、耐火ボードであることによって、耐火性を有する。
【００１７】
前記化粧板付パネルは、両側縁部に前記化粧板が貼着されず、パネル本体の表面が露出し、互いに突き合わされることにより縦向きの嵌合溝を構成する縦向きの嵌合凹部を有し、柱、間柱等の壁枠体の前面部に隣り合う前記化粧板付パネルが互いに突き合わせ配置に設置され、前記目地溝に前記固定用部の表面を覆う被覆板を有する被覆部材が嵌め込まれたことによって、釘やネジ等の固定用部材及び目地を好適に隠し、見栄えよく仕上ることができる。
【００１８】
固定用部は、嵌合凹部を兼用することによって、固定部材によりパネル本体を壁枠体に固定した後、被覆部材により好適に固定用部を塞ぐことができる。
【考案を実施するための最良の形態】
【００１９】
次に本考案に係る化粧板付パネルの実施の形態を図に基づいて説明する。
【００２０】
図１は、本考案に係る化粧板付パネルを使用した壁面施工の一例を示し、図中符号１は化粧板付パネルである。
【００２１】
化粧板付パネル１は、図２に示すように、パネル本体２と、パネル本体２の表面に貼り付けられた化粧板３とを一体に備えている。
【００２２】
化粧板３は、金属板やけい酸カルシウム板等をもって形成され、接着剤によりパネル本体２の表面に貼着されている。
【００２３】
パネル本体２は、例えば、けい酸カルシウムを主成分とし、それにバインダーを添加して板状に成形してなる繊維強化セメント板をもって構成されている。
【００２４】
このパネル本体２には、その表面側両側部に化粧板３が貼り付けられずにパネル本体２の表面が露出した縦向きの固定用部４，４が設けられ、この固定用部４をビスや釘等の固定部材５，５…を用いて柱、間柱等の壁枠体６に固定することにより、化粧板付パネル１全体を壁枠体６に固定できるようになっている。
【００２５】
また、この固定用部４は、壁枠体の前面部に隣り合う化粧板付パネルを設置した際に、互いに突き合わされて縦向きの嵌合溝７を構成する嵌合凹部を兼用するようになっている。
【００２６】
この嵌合溝７には、図３に示すように、固定用部４の表面部を被覆する被覆板を有する被覆部材８が嵌め込まれ、固定用部４及び目地を覆って、固定用部及び目地が露出しないようにしている。
【００２７】
被覆部材８には、嵌合溝７に嵌め込まれる断面コ字型の嵌合部９と、該嵌合部９の両側縁より外向きに張り出した張り出し部１０，１０とをもって構成されたハット型ジョイナーを使用し、嵌合部９が被覆板を構成している。
【００２８】
このように構成された化粧板付パネル１は、製造工程で予め化粧板の貼り付けが施されているので、施工現場における化粧板貼り付け作業を省略でき、施工現場における工期を短縮することができるようになっている。
【００２９】
このように構成された化粧板付パネル１を使用して壁面を施工するには、まず、化粧板付パネル１を施工現場に搬入し、柱、間柱等の壁枠体６，６…に対して位置決めを行う。
【００３０】
次に、固定用部４をビス等の固定部材５，５…により壁枠体６に固定し、それにより化粧板付パネル１全体を壁枠体６に固定する。
【００３１】
このとき、隣り合う化粧板付パネル１，１の側部が互いに突き合わされることにより、嵌合凹部を兼用する固定用部４，４が互いに突き合わされ嵌合溝７が形成される。
【００３２】
そして、この嵌合溝７に被覆部材８を嵌め込み、固定用部４，４の表面部及び目地を被覆することにより壁の施工が完了する。
【００３３】
尚、上述の実施例では、両側部の固定用部４，４が互いに突き合わされて形成された嵌合溝７に被覆部材８を嵌め込む構造のものについて説明したが、固定用部４に樹脂系の後埋めコーキング材を充填してその部分を被覆するようにしてもよい。
【００３４】
次に、本考案に係る化粧板付パネルの他の一例について説明する。尚、上述の実施例と同一の部分には同一符号を付して説明を省略する。
【００３５】
この化粧板付パネル２０は、図４に示すように、平板状のパネル本体２と、パネル本体２の表面に貼り合わされた化粧板３とを一体に備えている。
【００３６】
この化粧板付パネル２０の両側部には、化粧板３が貼着されずにパネル本体２表面が露出した縦向きの嵌合凹部２１，２１が設けられ、隣合う化粧板付パネル２０，２０を、側部を互いに付き合わせて設置することにより、嵌合凹部２１，２１が互いに突き合わされて嵌合溝２２が形成されるようになっている。
【００３７】
更に、この化粧板付パネル２０は、両側部の嵌合凹部内側部分にビス等の固定用部材５をねじ込み、パネル本体２を壁枠体６に固定するようになっている。即ち、嵌合凹部内側部分が固定用部２３を構成している。
【００３８】
また、嵌合溝２２には、固定用部２３，２３の表面部を被覆する被覆板２４，２４を有する被覆部材２５が嵌め込まれ、固定用部２３及び目地を覆って、固定用部材及び目地が露出しないようにしている。
【００３９】
尚、被覆部材２５には、嵌合溝２２に嵌め込まれる断面コ字型の嵌合部２６と、該嵌合部２６の両側縁より外向きに張り出した張り出し被覆板２４，２４とをもって構成されたハット型ジョイナーを使用している。
【００４０】
尚、上述の実施例では、１のパネル本体に１の化粧板を貼り合せた例について説明したが、１のパネル本体に複数の化粧板を並べて貼り付けるようにしてもよく、その際、中央部に配置される固定用部は、化粧板を互いに側縁間に間隔をおいて貼り付けることにより形成され、両側部に配置される固定用部は、両側端の化粧板を一定幅だけ内側に配置することにより形成されている。
【００４１】
また、固定用部を構成しない部分の隣り合う化粧板間の目地、即ち突き合わせ端部間の間隙には、嵌合溝と同様にハット型ジョイナーを嵌め込むか、或いは樹脂系のコーキング材が充填されている。
【００４２】
尚、上述の実施例では、パネル本体に繊維強化セメント板を用いた例について説明したが、木片を主成分とし、それにバインダーを添加して板状に熱圧成形したＯＳＢ（Ｏｒｉｅｎｔｅｄ  Ｓｔｒａｎｄ  Ｂｏａｒｄ）等の木質ボードを用いてもよく、その他、石膏ボードやベニヤ合板等を用いても良い。
【００４３】
更に、上述の実施例では、化粧板間又は化粧板側部に縦向きに連続した固定用部を設けた例について説明したが、パネル本体表面全体に化粧板を貼り付け、固定部材が打ち付けられる箇所毎に化粧板に孔を設け、それにより化粧板が貼り付けられずにパネル本体表面が露出した固定用部が形成されるものであってもよい。
【図面の簡単な説明】
【００４４】
【図１】本考案に係る化粧板付パネルの取り付け状態を示す分解斜視図である。
【図２】図１中の化粧付きパネルを示す正面図である。
【図３】図１中の化粧板付パネルの接合部を示す部分拡大断面図である。
【図４】本考案に係る化粧板付パネルの他の一例を示す正面図である。
【図５】同上の化粧板付パネルの接合部を示す部分拡大断面図である。
【符号の説明】
【００４５】
１  化粧板付パネル
２  パネル本体
３  化粧板
４  固定用部
５  固定部材
６  壁枠体
７  嵌合溝
８  被覆部材
９  嵌合部
１０  張出し部
２０  化粧板付パネル
２１  嵌合凹部
２２  嵌合溝
２３  固定用部
２４  被覆板
２５  被覆部材
２６  嵌合部
【図１】
0003115101.tif 000003
【図２】
0003115101.tif 000004
【図３】
0003115101.tif 000005
【図４】
0003115101.tif 000006
【図５】
0003115101.tif 000007